【手続補正書】
【提出日】平成18年9月7日(2006.9.7)
【手続補正１】
【補正対象書類名】明細書
【補正対象項目名】特許請求の範囲
【補正方法】変更
【補正の内容】
【特許請求の範囲】
【請求項１】  ジャケットやベストなどの上衣とパンツやスカートなどの下衣とを腰部で着脱自在に連結する構成としたツーピースとしてもワンピースとしても使用可能となる衣服であって、前記下衣のウエスト位置にウエスト調整用帯片を設けると共に、この帯片を挿通する帯片係止具を設け、前記帯片を前記帯片係止具に挿通して締め付け係止しウエスト位置の緩み度を締め付け調整するウエスト調整機構を下衣に設け、このウエスト調整機構の前記帯片を前記上衣のウエスト位置に設けた連結孔に裏側から表側へ挿通して上衣のウエスト位置表側に配設し、この上衣に設けた帯片係止具、若しくは前記下衣に設けた帯片係止具を上衣のウエスト位置に設けた連結孔に裏側から表側へ挿通して上衣のウエスト位置表側に配設したこの帯片係止具に、前記帯片を挿通して係止し、前記上衣と前記下衣とを腰部で前記下衣のウエスト調整機構を用いて着脱自在に連結したことを特徴とするツーピースとしてもワンピースとしても使用可能となる衣服。
【請求項２】  前記ウエスト調整用帯片を前記帯片係止具に挿通し折り返し引き締めて、この帯片に設けた止着手段によりこの折り返し引き締め状態を重合止着して、ウエスト位置の緩み度を締め付け調整し得るように構成すると共に、この帯片がウエスト周方向に配設されるように前記ウエスト調整機構を構成し、このウエスト調整機構の前記帯片を前記上衣のウエスト位置に設けた連結孔に裏側から表側へ挿通して上衣のウエスト位置表側に配設し、この上衣に設けた帯片係止具、若しくは前記下衣に設けた帯片係止具を上衣のウエスト位置に設けた連結孔に裏側から表側へ挿通して上衣のウエスト位置表側に配設したこの帯片係止具に、前記帯片を挿通して折り返し、この帯片に設けた前記止着手段によりこの折り返し状態を重合止着して、前記帯片が上衣のウエスト周方向に配設されるように構成したことを特徴とする請求項１記載のツーピースとしてもワンピースとしても使用可能となる衣服。
【請求項３】  前記下衣のウエスト位置に設けた帯片係止具には二つの挿通部を設け、この帯片係止具を境にしてウエスト周方向両側に夫々前記帯片を設け、この一方の帯片を前記帯片係止具の一方の挿通部に挿通し折り返し引き締めて、この帯片に設けた止着手段によりこの折り返し引き締め状態を重合止着し、他方の帯片を前記帯片係止具の他方の挿通部に挿通し反対側へ折り返し引き締めて、この帯片に設けた止着手段によりこの折り返し引き締め状態を重合止着して、ウエスト位置の緩み度を締め付け調整し得るように構成すると共に、この双方の帯片がウエスト周方向に配設されるように前記ウエスト調整機構を構成し、このウエスト調整機構の前記双方の帯片を前記上衣のウエスト位置に夫々設けた連結孔に裏側から表側へ挿通して上衣のウエスト位置表側に配設し、この上衣に設けた二つの挿通部を設けた帯片係止具の各挿通部に、若しくは前記下衣に設けた帯片係止具を上衣のウエスト位置に設けた連結孔に裏側から表側へ挿通して上衣のウエスト位置表側に配設したこの帯片係止具の各挿通部に、前記帯片を夫々挿通して夫々反対側に折り返して重合止着して、前記双方の帯片が上衣のウエスト周方向に配設されるように構成したことを特徴とする請求項２記載のツーピースとしてもワンピースとしても使用可能となる衣服。
【請求項４】  前記ウエスト調整機構を下衣のウエスト左右位置に夫々設け、このウエスト調整機構の前記帯片と前記帯片係止具とに対応する前記連結孔を上衣のウエスト左右位置に夫々設けて、前記上衣と前記下衣とを腰部左右に設けた前記下衣のウエスト調整機構の前記帯片と帯片係止具とで着脱自在に連結したことを特徴とする請求項１〜３のいずれか１項に記載のツーピースとしてもワンピースとしても使用可能となる衣服。
【手続補正２】
【補正対象書類名】明細書
【補正対象項目名】０００８
【補正方法】変更
【補正の内容】
【０００８】
ジャケットやベストなどの上衣１とパンツやスカートなどの下衣２とを腰部で着脱自在に連結する構成としたツーピースとしてもワンピースとしても使用可能となる衣服であって、前記下衣２のウエスト位置にウエスト調整用帯片３を設けると共に、この帯片３を挿通する帯片係止具４を設け、前記帯片３を前記帯片係止具４に挿通して締め付け係止しウエスト位置の緩み度を締め付け調整するウエスト調整機構Ｗを下衣２に設け、このウエスト調整機構Ｗの前記帯片３を前記上衣１のウエスト位置に設けた連結孔５に裏側から表側へ挿通して上衣１のウエスト位置表側に配設し、この上衣１に設けた帯片係止具４、若しくは前記下衣２に設けた帯片係止具４を上衣１のウエスト位置に設けた連結孔５に裏側から表側へ挿通して上衣１のウエスト位置表側に配設したこの帯片係止具４に、前記帯片３を挿通して係止し、前記上衣１と前記下衣２とを腰部で前記下衣のウエスト調整機構Ｗを用いて着脱自在に連結したことを特徴とするツーピースとしてもワンピースとしても使用可能となる衣服に係るものである。
【手続補正３】
【補正対象書類名】明細書
【補正対象項目名】０００９
【補正方法】変更
【補正の内容】
【０００９】
また、前記ウエスト調整用帯片３を前記帯片係止具４に挿通し折り返し引き締めて、この帯片３に設けた止着手段６によりこの折り返し引き締め状態を重合止着して、ウエスト位置の緩み度を締め付け調整し得るように構成すると共に、この帯片３がウエスト周方向に配設されるように前記ウエスト調整機構Ｗを構成し、このウエスト調整機構Ｗの前記帯片３を前記上衣１のウエスト位置に設けた連結孔５に裏側から表側へ挿通して上衣１のウエスト位置表側に配設し、この上衣１に設けた帯片係止具４、若しくは前記下衣２に設けた帯片係止具４を上衣１のウエスト位置に設けた連結孔５に裏側から表側へ挿通して上衣１のウエスト位置表側に配設したこの帯片係止具４に、前記帯片３を挿通して折り返し、この帯片３に設けた前記止着手段６によりこの折り返し状態を重合止着して、前記帯片３が上衣１のウエスト周方向に配設されるように構成したことを特徴とする請求項１記載のツーピースとしてもワンピースとしても使用可能となる衣服に係るものである。
【手続補正４】
【補正対象書類名】明細書
【補正対象項目名】００１０
【補正方法】変更
【補正の内容】
【００１０】
また、前記下衣２のウエスト位置に設けた帯片係止具４には二つの挿通部４Ａを設け、この帯片係止具４を境にしてウエスト周方向両側に夫々前記帯片３を設け、この一方の帯片３を前記帯片係止具４の一方の挿通部４Ａに挿通し折り返し引き締めて、この帯片３に設けた止着手段６によりこの折り返し引き締め状態を重合止着し、他方の帯片３を前記帯片係止具４の他方の挿通部４Ａに挿通し反対側へ折り返し引き締めて、この帯片３に設けた止着手段６によりこの折り返し引き締め状態を重合止着して、ウエスト位置の緩み度を締め付け調整し得るように構成すると共に、この双方の帯片３がウエスト周方向に配設されるように前記ウエスト調整機構Ｗを構成し、このウエスト調整機構Ｗの前記双方の帯片３を前記上衣１のウエスト位置に夫々設けた連結孔５に裏側から表側へ挿通して上衣１のウエスト位置表側に配設し、この上衣１に設けた二つの挿通部４Ａを設けた帯片係止具４の各挿通部に、若しくは前記下衣２に設けた帯片係止具４を上衣１のウエスト位置に設けた連結孔５に裏側から表側へ挿通して上衣１のウエスト位置表側に配設したこの帯片係止具４の各挿通部４Ａに、前記帯片３を夫々挿通して夫々反対側に折り返して重合止着して、前記双方の帯片３が上衣１のウエスト周方向に配設されるように構成したことを特徴とする請求項２記載のツーピースとしてもワンピースとしても使用可能となる衣服に係るものである。
【手続補正５】
【補正対象書類名】明細書
【補正対象項目名】００１１
【補正方法】変更
【補正の内容】
【００１１】
また、前記ウエスト調整機構Ｗを下衣２のウエスト左右位置に夫々設け、このウエスト調整機構Ｗの前記帯片３と前記帯片係止具４とに対応する前記連結孔５を上衣１のウエスト左右位置に夫々設けて、前記上衣１と前記下衣２とを腰部左右に設けた前記下衣のウエスト調整機構Ｗの前記帯片３と帯片係止具４とで着脱自在に連結したことを特徴とする請求項１〜３のいずれか１項に記載のツーピースとしてもワンピースとしても使用可能となる衣服に係るものである。